(57)【要約】      （修正有）【課題】靴の中で滑りが生じてしまい、作業用の靴等に使用するには耐久性が低いという問題点を解決する靴の中敷きを提供する。【解決手段】靴の中敷き１００は、樹脂製のシート材で構成され且つ裏面に微小突起１１が多数形成された基材１と、当該基材１の上面に積層して設けられ且つ多数の空気を封入した袋２１が所定の間隔２３をもって形成された基本緩衝材２とを備えたことを特徴とする。基材１が樹脂製であるため、耐久性が高い。また、足の裏から中敷き１００に荷重がかかると基材１の裏面の微小突起１１が、長靴の床面に食い込むので、足が長靴の中でずれるのを防止でき、長靴による作業性が向上する。【選択図】図１
0003196765.tif 000002
【実用新案登録請求の範囲】
【請求項１】
樹脂製のシート材で構成され且つ裏面に微小突起が多数形成された基材と、当該基材の上面に積層して設けられ且つ多数の空気を封入した袋が所定の間隔をもって形成された基本緩衝材とを備えたことを特徴とする靴の中敷き
【請求項２】
樹脂製のシート材で構成された基材と、当該基材の上面に積層して設けられ且つ多数の空気を封入した袋が所定の間隔をもって形成された基本緩衝材と、前記基材の下面に設けられた低粘着性の粘着シートとを備えたことを特徴とする靴の中敷き
【考案の詳細な説明】
【技術分野】
【０００１】
本考案は、靴の床面に敷いて使用する靴の中敷きに関するものである。
【背景技術】
【０００２】
従来から特許文献１に記載されているような靴の中敷きが知られている。この中敷きは、厚紙で構成された基材の上面に気泡緩衝材を積層した構造である。この中敷きは、気泡緩衝材の面を上にして靴の中に配置して使用する。
【０００３】
この中敷きは、厚紙に気泡緩衝材を貼り付けた構造であるため、靴内の通気性が良い。また、製造が容易で大量生産に適し、極めて安価に供給できる。更に、数日間の使用で廃棄して取替えることで靴の内側を清潔に保つことができる。
【先行技術文献】
【特許文献】
【０００４】
【特許文献１】実開平６−８６５２０号公報
【考案の概要】
【考案が解決しようとする課題】
【０００５】
しかしながら、上記従来の靴の中敷きは、基材を厚紙により構成していることから、靴の中で滑りが生じてしまい、また作業用の靴等に使用するには耐久性が低いという問題点があった。本考案は、係る問題点を解決するためになされたものである。
【課題を解決するための手段】
【０００６】
本考案に係る靴の中敷きは、樹脂製のシート材で構成され且つ裏面に微小突起が多数形成された基材と、当該基材の上面に積層して設けられ且つ多数の空気を封入した袋が所定の間隔をもって形成された基本緩衝材とを備えたことを特徴とする。
【０００７】
また、本考案に係る靴の中敷きは、樹脂製のシート材で構成された基材と、当該基材の上面に積層して設けられ且つ多数の空気を封入した袋が所定の間隔をもって形成された基本緩衝材と、前記基材の下面に設けられた低粘着性の粘着シートとを備えたことを特徴とする。
【図面の簡単な説明】
【０００８】
【図１】本考案の実施の形態１に係る靴の中敷きを示す一部断面図である。
【図２】図１に示した中敷きを示す平面図であり、（ａ）は中敷き表面、（ｂ）は中敷き裏面を示すものである。
【図３】図１に示した中敷きの使用状態を示す説明図である。
【図４】本考案の実施の形態２に係る靴の中敷きを示す一部断面図である。
【図５】図４に示した中敷きの使用状態を示す説明図である。
【考案を実施するための形態】
【０００９】
（実施の形態１）
本考案に係る靴の中敷き１００は、図１及び２に示すように、足の平面形状をした樹脂製のシート材で構成した基材１と、基材１の上面に積層して設けられた気泡緩衝材２と、から構成されている。基材１は、ポリウレタン、ポリエステル、ＥＶＡ樹脂（エチレン・酢酸ビニル共重合樹脂）等からなる。ＥＶＡ樹脂は、塩素を含まないので、焼却時にダイオキシンが発生せず、環境にやさしい素材であり、低温特性に優れ、寒い場所などでも硬化せず、弾力性に優れている。このため、当該基材１に好適である。
【００１０】
気泡緩衝材２は、商品名「エアキャップ（登録商標）」又は「キャプロン（登録商標）」等といわれるナイロンバリアー性の素材からなる。これら気泡緩衝材２は、ポリエチレンフィルムから構成される。気泡緩衝材２は、薄膜の円筒台形状の空気を封入した袋２１がシート２２の表面に多数形成されており、この袋２１は、直径が１０ｍｍ前後であり、高さが４ｍｍ前後である。また、袋２１と袋２１との間には所定の間隔２３が形成される。
【００１１】
図２（ｂ）に示すように、基材１の裏面には、微小突起１１が全体的に形成されている。この微小突起１１は、高さが１ｍｍ〜２ｍｍ程度の大きさであり、靴の床面（用語チェック）に対して食い込んで基材１と床面とのずれが生じないようになる。微小突起１１の形状は、半球状、山形ないし円錐形状とするのが好ましい。
【００１２】
基材１と気泡緩衝材２との間は、好適な接着剤により接合する。
【００１３】
図３は、中敷き１００の使用状態を示す説明図であり、説明の便宜のため一部破断した状態を示す。同図に示すように、中敷き１００を例えば長靴Ｂの床面Ｂ１に敷く。その際、長靴Ｂの底面の大きさに合わせて中敷き１００の周縁を鋏で切断し、床面Ｂ１に置くのに適切な大きさとする。床面Ｂ１に敷いた状態で気泡緩衝材２が長靴Ｂの中で上側の面になる。そして、長靴Ｂを履くと、足（図中一点鎖線で示す）の裏が気泡緩衝材２の各袋２１により支えられ、気泡緩衝材２の袋２１と袋２１との間隔２３により、足Ｆからの発汗の蒸気が周囲に逃げる。この汗の蒸気が逃げる空間（間隔２３）は通常の中敷き１００に比べて極めて大きいものであるため、汗に起因した臭いや細菌の発生が抑制されて、長靴Ｂの内部を清潔に保ち、臭いの発生を防止する。また、本考案の構成により発明者が試験した結果、長靴Ｂ内の臭いが効果的に防止されることが判った。更に、基材１が樹脂製であるため、厚紙に比べて耐久性が高くなる。
【００１４】
また、足Ｆの裏から中敷き１００に荷重がかかると基材１の裏面の微小突起１１が、長靴Ｂの床面Ｂ１に食い込む。また、基材１自体も滑りにくい素材から構成され又は表面処理される。これにより、足Ｆが長靴Ｂの中でずれるのを防止できる。例えば、長靴Ｂを使用する作業において、斜面等を登るときには足Ｆを踏ん張って進むことから、足Ｆと床面Ｂ１との間で滑りが生じることがある。このとき、基材１の裏面がしっかりと長靴Ｂの床面Ｂ１を保持して動かないことで、足Ｆが長靴Ｂの中で遊んでしまうのを防止できる。このため、長靴Ｂによる作業性が向上する。
【００１５】
また、この中敷き１００は、気泡緩衝材２によるクッション性が極めて高いことから、ショックの吸収性が高く、足Ｆへの負担を大幅に軽減できる。更に、製造コストが安価であるため、袋２１がつぶれる等により消耗しても容易に交換できるものである。また、上記基材１を床面Ｂ１に載せているだけであるため、簡単に交換できる。
【００１６】
この中敷き１００は、長靴Ｂの他、運動靴、ビジネスシューズ、ハイヒール、サンダル、下駄等の様々な履物に使用できる。
【００１７】
（実施の形態２）
本考案の実施の形態２に係る靴の中敷き２００は、図４に示すように、基材２０１の裏面に低粘着性の粘着シート２０２を配置した構成である。基材２０１の上面には、実施の形態１と同様の気泡緩衝材２が積層されている。基材２０１の下面は、図４に示すような平面でも良いし、上記実施の形態１のような微小突起を形成したものでも良い（図示省略）。
【００１８】
粘着シート２０２の表面には離型紙２０３が配置されている。粘着シート２０２としては、
表面がアクリル樹脂であり裏面が熱可塑性エラストマーからなる。粘着面は、低粘着性の接着剤を塗布して構成するか、或いは、微小凹凸により空気を押し出して吸着する構成とする。また、アクリル樹脂の表面と前記基材２０１との間は、所定の接着剤により接着する。裏面の熱可塑性エラストマーには特殊粘着加工がされたものである。
【００１９】
基材２０１は、ポリウレタン、ポリエステル、ＥＶＡ樹脂（エチレン・酢酸ビニル共重合樹脂）等からなる。ＥＶＡ樹脂は、塩素を含まないので、焼却時にダイオキシンが発生せず、環境にやさしい素材であり、低温特性に優れ、寒い場所などでも硬化せず、弾力性に優れている。このため、当該基材２０１に好適である。
【００２０】
この中敷き２００は、離型紙２０３を剥して粘着面を床面Ｂ１に貼り付ける。これにより、中敷き２００が靴の床面Ｂ１に強力に固定されて、靴の内部で中敷き２００がずれることがない。このため、足Ｆを踏ん張る作業が発生する長靴Ｂ等において、長靴Ｂ内で足Ｆが遊ぶことを防止でき、ふんばりが利くようになり、作業性を向上する。その他の作用効果は実施の形態１の中敷き１００と同様である。
【００２１】
また、粘着シート２０２は、低粘着性であるため床面Ｂ１から容易に剥すことができる。このため、気泡緩衝材２がへたってきた場合に簡単に剥して新しいものに交換できる。
【符号の説明】
【００２２】
１００  中敷き
１  基材
１１  微小突起
２  気泡緩衝材
２１  袋
２２  シート
２３  間隔
【図１】
0003196765.tif 000003
【図２】
0003196765.tif 000004
【図３】
0003196765.tif 000005
【図４】
0003196765.tif 000006
【図５】
0003196765.tif 000007